(57)【要約】【課題】「３Ｒ」の精神に則りつつも取り外したカセットをユーザが容易に廃棄でき、環境負荷も少なく、運搬コストや管理コストも削減できるものとすることができ、しかも軽量でユーザによる脱着作業も容易となり、持ち運びにも便利なスクリーン装置を提供せんとする。【解決手段】紙製又は合成樹脂製の薄膜スクリーンシート２と、該薄膜スクリーンシート２を巻き取る紙製の巻取りローラー３と、該巻取りローラー端部を少なくとも薄膜スクリーンシート２を巻き取る方向に駆動させる駆動機構４と、前記巻取りローラー３の両端部を回転可能に支持する支持フレーム５とを備えた簡易型のスクリーン装置であり、少なくとも薄膜スクリーンシート２及び巻取りローラー３よりユニット構成されるスクリーンロールカセットＵを前記支持フレーム５に対して着脱自在に取り付け、前記スクリーンロールカセットＵを交換可能とした。【選択図】図１
2010282033.tif 000002
【特許請求の範囲】
【請求項１】
紙製又は合成樹脂製の薄膜スクリーンシートと、該薄膜スクリーンシートを巻き取る紙製の巻取りローラーと、該巻取りローラー端部を少なくとも薄膜スクリーンシートを巻き取る方向に駆動させる駆動機構と、前記巻取りローラーの両端部を回転可能に支持する支持フレームとを備えるスクリーン装置であって、少なくとも前記薄膜スクリーンシート及び巻取りローラーよりユニット構成されるスクリーンロールカセットを前記支持フレームに対して着脱自在に取り付け、前記スクリーンロールカセットを交換可能としたことを特徴とするスクリーン装置。
【請求項２】
前記巻取りローラーの両端部を回転可能に支持する一対の回転支持部を設け、一方の回転支持部を前記支持フレームに固定するとともに、他方の回転支持部を前記支持フレームに対して揺動可能に枢着し、前記一方の回転支持部から離間させた巻取りローラー端部を前記揺動方向に移動させたうえ、その他端部を前記他方の回転支持部から引き抜くことにより当該スクリーンロールカセットを支持フレームから離脱させる請求項１記載のスクリーン装置。
【請求項３】
前記巻取りローラーの両端部を回転可能に支持する一対の回転支持部を設け、一方の回転支持部を前記支持フレームに着脱可能に固定するとともに、他方の回転支持部を前記支持フレームに対して揺動可能に枢着し、前記一方の回転支持部を巻取りローラー端部と一体で前記支持フレームから離間させて前記揺動方向に移動させたうえ、該巻取りローラーの他端部を前記他方の回転支持部から引き抜くことにより前記一方の回転支持部を含む当該スクリーンロールカセットを支持フレームから離脱させる請求項１記載のスクリーン装置。
【請求項４】
前記一方の回転支持部が前記駆動機構を備えるとともに、前記他方の回転支持部が駆動機構を備えない従動支持部である請求項２又は３記載のスクリーン装置。
【請求項５】
前記巻取りローラーの端部に、一方の回転支持部に離脱可能に連結される前記駆動機構を内蔵し、該駆動機構を含む前記スクリーンロールカセットを支持フレームから離脱させる請求項２記載のスクリーン装置。
【請求項６】
前記駆動機構を前記巻取りローラーに対して着脱可能に取付け、当該スクリーンロールカセットの交換において該駆動機構を再使用可能とした請求項５記載のスクリーン装置。
【請求項７】
前記巻取りローラーが、金属製の芯体とその外周部に着脱可能に外装される紙製の筒状体とよりなり、該巻取りローラーを含むスクリーンロールカセットの交換において前記芯体を再使用可能とした請求項１〜６の何れか１項に記載のスクリーン装置。
【発明の詳細な説明】
【技術分野】
【０００１】
本発明は、スクリーンシートと巻取りローラーよりなるスクリーンロールカセットを支持フレームに対して着脱可能に構成した簡易型のスクリーン装置に関する。
【背景技術】
【０００２】
この種のスクリーン装置としては、ケ−ス内にスクリ−ン又はスダレを納めたカセット方式で凸型ディスクと凹型ディスクの組合せとし、又、スクリ−ン及びスダレの垂れ下がりを防止するためウォームギャーカセットを使用したシンプルで取扱いが容易で誰にも優しい非常に有効なカセットタイプの電動スクリ−ンが提案されている（特許文献１参照）。このようなスクリーン装置によれば、カセット部分のみ交換し、その他の筐体部分は再使用できるため、近年循環型社会を構築していくうえで重要とされている「３Ｒ」の精神に則るものである。
【０００３】
しかしながら、上記文献に記載のカセット式のスクリーン装置は、カセットの着脱機構を不明であるが、通常、着脱される軸部分に十分な強度が必要である。したがって、スクリーンシートを巻き付けるロール部分は金属製のものが採用され、重量が重くなるとともに、焼却処分できないのでメーカー側が回収し、新たなカセットを供給する必要があるため、運搬コストや管理コストが嵩んでしまう。また、ユーザー側としてはカセットを自由に廃棄処分できず、使い勝手が悪いものとなってしまう。
【先行技術文献】
【特許文献】
【０００４】
【特許文献１】特開２００６−１７７１３１号公報
【発明の概要】
【発明が解決しようとする課題】
【０００５】
そこで、本発明が前述の状況に鑑み、解決しようとするところは、「３Ｒ」の精神に則りつつも取り外したカセットをユーザが容易に廃棄でき、環境負荷も少なく、運搬コストや管理コストも削減できるものとすることができ、しかも軽量でユーザによる脱着作業も容易となり、持ち運びにも便利なスクリーン装置を提供する点にある。
【課題を解決するための手段】
【０００６】
本発明は、前述の課題解決のために、紙製又は合成樹脂製の薄膜スクリーンシートと、該薄膜スクリーンシートを巻き取る紙製の巻取りローラーと、該巻取りローラー端部を少なくとも薄膜スクリーンシートを巻き取る方向に駆動させる駆動機構と、前記巻取りローラーの両端部を回転可能に支持する支持フレームとを備えるスクリーン装置であって、少なくとも前記薄膜スクリーンシート及び巻取りローラーよりユニット構成されるスクリーンロールカセットを前記支持フレームに対して着脱自在に取り付け、前記スクリーンロールカセットを交換可能としたことを特徴とするスクリーン装置を構成した。
【０００７】
ここで、前記巻取りローラーの両端部を回転可能に支持する一対の回転支持部を設け、一方の回転支持部を前記支持フレームに固定するとともに、他方の回転支持部を前記支持フレームに対して揺動可能に枢着し、前記一方の回転支持部から離間させた巻取りローラー端部を前記揺動方向に移動させたうえ、その他端部を前記他方の回転支持部から引き抜くことにより当該スクリーンロールカセットを支持フレームから離脱させるものが好ましい。
【０００８】
或いは、前記巻取りローラーの両端部を回転可能に支持する一対の回転支持部を設け、一方の回転支持部を前記支持フレームに着脱可能に固定するとともに、他方の回転支持部を前記支持フレームに対して揺動可能に枢着し、前記一方の回転支持部を巻取りローラー端部と一体で前記支持フレームから離間させて前記揺動方向に移動させたうえ、該巻取りローラーの他端部を前記他方の回転支持部から引き抜くことにより前記一方の回転支持部を含む当該スクリーンロールカセットを支持フレームから離脱させるものも好ましい。
【０００９】
更に、前記一方の回転支持部が前記駆動機構を備えるとともに、前記他方の回転支持部が駆動機構を備えない従動支持部であるものや、或いは、前記巻取りローラーの端部に、一方の回転支持部に離脱可能に連結される前記駆動機構を内蔵し、該駆動機構を含む前記スクリーンロールカセットを支持フレームから離脱させるものが好ましく、この場合、前記駆動機構を前記巻取りローラーに対して着脱可能に取付け、当該スクリーンロールカセットの交換において該駆動機構を再使用可能としたものが好ましい。
【００１０】
また、前記巻取りローラーが、金属製の芯体とその外周部に着脱可能に外装される紙製の筒状体とよりなり、該巻取りローラーを含むスクリーンロールカセットの交換において前記芯体を再使用可能としたものが好ましい。
【発明の効果】
【００１１】
以上にしてなる本願発明に係るスクリーン装置によれば、少なくとも前記薄膜スクリーンシート及び巻取りローラーよりユニット構成されるスクリーンロールカセットを前記支持フレームに対して着脱自在に取り付け、前記スクリーンロールカセットを交換可能としたので、支持フレームを再利用しつつ汚れが付着したり破損しやすい紙製又は合成樹脂製の薄膜スクリーンシートや同じく紙製の巻取りローラーを交換することができ、「３Ｒ」の精神に則り、環境に配慮したスクリーン装置を提供できる。また、薄膜スクリーンシートや巻取りローラーが紙や合成樹脂であるので、低コスト且つ軽量であり、その脱着作業も容易となり、小さい駆動力で駆動できるため駆動機構も小型化でき、スクリーン装置全体も従来のものと比べて飛躍的に軽量化され、持ち運びにも便利なスクリーン装置を提供できる。更に、カセットは上記のとおり紙製や合成樹脂製であるのでユーザ側で可燃物として容易に焼却処分することができ、製造メーカー等は回収して管理やメンテナンス等する必要がなく、ユーザが新しいカセットを購入するだけの１ｗａｙ化した普及しやすいものとすることができる。
【００１２】
特に、前記巻取りローラーの両端部を回転可能に支持する一対の回転支持部を設け、一方の回転支持部を前記支持フレームに固定するとともに、他方の回転支持部を前記支持フレームに対して揺動可能に枢着し、前記一方の回転支持部から離間させた巻取りローラー端部を前記揺動方向に移動させたうえ、その他端部を前記他方の回転支持部から引き抜くことにより当該スクリーンロールカセットを支持フレームから離脱させるので、簡単な構造で脱着時に巻取りローラー側に負担を掛けずにスムーズに脱着させることができ、ユーザ側で容易に作業を行うことができる。
【００１３】
また、前記巻取りローラーの両端部を回転可能に支持する一対の回転支持部を設け、一方の回転支持部を前記支持フレームに着脱可能に固定するとともに、他方の回転支持部を前記支持フレームに対して揺動可能に枢着し、前記一方の回転支持部を巻取りローラー端部と一体で前記支持フレームから離間させて前記揺動方向に移動させたうえ、該巻取りローラーの他端部を前記他方の回転支持部から引き抜くことにより前記一方の回転支持部を含む当該スクリーンロールカセットを支持フレームから離脱させるので、上記と同様、簡単な構造で脱着時に巻取りローラー側に負担を掛けずにスムーズに脱着させることができるとともに、巻取りローラー端部と回転支持部との間で回転軸を着脱するための構造が不要となり、回転支持部を着脱自在に固定するだけの単純な構造を採用できる。
【００１４】
また、前記一方の回転支持部が前記駆動機構を備えるとともに、前記他方の回転支持部が駆動機構を備えない従動支持部であるので、揺動機構を備えない一方の回転支持部側に駆動機構が備えられ、コンパクトな構造を維持できる。
【００１５】
また、前記巻取りローラーの端部に、一方の回転支持部に離脱可能に連結される前記駆動機構を内蔵し、該駆動機構を含む前記スクリーンロールカセットを支持フレームから離脱させるので、回転支持部に駆動機構がなくなり、全体としてコンパクトに構成することが可能となる。
【００１６】
また、前記駆動機構を前記巻取りローラーに対して着脱可能に取付け、当該スクリーンロールカセットの交換において該駆動機構を再使用可能としたので、駆動機構を除くカセットをユーザ側で容易に焼却等して処分できる。
【００１７】
また、前記巻取りローラーが、金属製の芯体とその外周部に着脱可能に外装される紙製の筒状体とよりなり、該巻取りローラーを含むスクリーンロールカセットの交換において前記芯体を再使用可能としたので、芯体を除くカセットをユーザ側で容易に焼却等して処分できるとともに、駆動等で負荷が掛かり易い芯部分を金属製の強固なものとして再使用させることができ、汚れや破損等しやすい部分のみ交換し、強度が必要な部分を金属製の再使用部位として処分する箇所を最小限にすることができ、環境負荷もより低減することが可能となる。
【図面の簡単な説明】
【００１８】
【図１】第１実施形態に係るスクリーン装置を示す斜視図。
【図２】同じく正面図。
【図３】同じく平面図。
【図４】同じく内部の構成を示す正面図。
【図５】支持フレームを省略した断面図。
【図６】駆動機構の変形例を示す要部の断面図。
【図７】第２実施形態に係るスクリーン装置の内部構成を示す正面図。
【図８】（ａ）は第３実施形態に係るスクリーン装置の内部構成を示す正面図、（ｂ）は駆動機構の変形例を示す要部の断面図。
【図９】スクリーンロールカセットの変形例を示す断面図。
【図１０】壁掛け式として構成した変形例を示す正面図。
【発明を実施するための形態】
【００１９】
次に、本発明の実施形態を添付図面に基づき詳細に説明する。
【００２０】
図１は、本発明に係るスクリーン装置の筐体パネルを一部省略して内部構成を示した斜視図であり、図１〜６は第１実施形態、図７は第２実施形態、図８、９は第３実施形態を示し、図中符号１はスクリーン装置、２は薄膜スクリーンシート、３は巻取りローラー、４は駆動機構、５は支持フレーム、Ｕは交換可能なスクリーンロールカセットをそれぞれ示している。
【００２１】
本発明のスクリーン装置１は、図１に示すように、紙製又は合成樹脂製の薄膜スクリーンシート２と、該薄膜スクリーンシート２を巻き取る紙製の巻取りローラー３と、該巻取りローラー端部を少なくとも薄膜スクリーンシート２を巻き取る方向に駆動させる駆動機構４と、前記巻取りローラー３の両端部を回転可能に支持する支持フレーム５とを備えた簡易型のスクリーン装置であり、少なくとも薄膜スクリーンシート２及び巻取りローラー３よりユニット構成されるスクリーンロールカセットＵを前記支持フレーム５に対して着脱自在に取り付け、前記スクリーンロールカセットＵを交換可能としたことを特徴としている。
【００２２】
尚、本実施形態のスクリーン装置１は、床やテーブル等の上に載置し、薄膜スクリーンシート２を上側に引き出して使用する据え置き型とした例について説明するが、本発明はこれに何ら限定されず、例えば図１０に示すように壁や天井に支持フレーム５を固定して薄膜スクリーンシート２を下側に引き出して使用するものなど、従来から公知の種々の形態に構成することができる。また、プロジェクター等の映像を投影する映像用スクリーン装置として構成すること以外に、ウインドウ等に設けられる日除け用スクリーン装置や、薄膜スクリーンシートに絵画等を表示して広告シート等として使用する広告用スクリーン装置として構成することもできる。
【００２３】
薄膜スクリーンシート２は、具体的には矩形状の紙シートやＰＥＴ等の合成樹脂フィルムより構成され、当該薄膜スクリーンシート２の下側端辺が紙製の巻取りローラー３の外周面に接着剤や両面テープ等で固定され、回転支持部６巻き取り可能とされている。薄膜スクリーンシート２の縦横の寸法は適宜設定できる。薄膜スクリーンシート２の上側端辺には、当該シートを引き出して支えるための金属製や合成樹脂製、木製等の上端プレート７０が付設され、支持フレーム５の背面側に立設される支持杆８０の先端の掛止片８１に引き出された前記上端プレート７０（本例では中央部の略コ字状の取手部材７１）を掛止させることで、前記薄膜スクリーンシート２が上側に引き出された状態に支持される構造とされている。
【００２４】
この上端プレート７０及び取手部材７１は薄膜スクリーンシート２に固定されており、これらを含むスクリーンロールカセットＵを一体で交換することとなる。従って、これら上端プレート７０や取手部材７１についても廃棄しやすい合成樹脂製や紙製とすることが好ましい。また、上端プレートや取手部材７１を省略し、シート上端辺の近傍に把持穴を設け、支持杆８０を当該把持穴に係合させて支持させるように構成することも勿論可能である。
【００２５】
巻取りローラー３は、図５にも示すように、厚紙をロール状に成形した紙製の筒状体３０より構成され、紙製の筒状体３０の両端部には外側に軸部３１ａが突設されたキャップ部材３１がそれぞれ嵌合されている。具体的には、紙製の筒状体３０の両端部にそれぞれ切欠部３３が形成され、キャップ部材３１の外周面の突起部３１ｂを前記切欠部３３に嵌合させることによりキャップ部材３１が紙製の筒状体３０の両端部に軸部３１ａが外側に突出する状態で且つ相対回転不能に挿着されている。尚、本例では巻取りローラー３を紙製の筒状体のみで構成したが、例えば図９に示すようにその他の素材からなる軸体や管体を内外に重ねて構成してもよい。図９の例では、金属製（例えばアルミニウム製）の芯体３４の外周部に紙製の筒状体３０を着脱可能に外装した例であり、スクリーンロールカセットＵを交換する際に芯体３４を再使用し、外側の紙製筒状体３０とこれに固定された薄膜スクリーンシート２を新しく交換できるように構成されている。
【００２６】
支持フレーム５は、図１〜３に示すように、金属板よりなるベース材５０と前後の筐体パネル５１、５２と左右の閉塞キャップ５３、５４より構成され、上端面には筐体パネル５１、５２間の左右に延びる隙間５５が維持され、該隙間５５の上側に係止されている上端プレート７０を取手部材７１により上方に引き上げることで、薄膜スクリーンシート２を上方に引き出すことができるように構成されている。支持フレーム５は交換しないものであり、金属製の強固な構造とされているが、強度が保持できるものであれば、合成樹脂製その他の素材で構成しても勿論よい。また、支持フレーム５の構造は特に本例のものに限定されず、従来から公知の種々の構造を採用できる。符号Ｆは底部に取り付けられた回転可能な脚部である。
【００２７】
支持フレーム５の後側筐体パネル５２の外面には、不使用時に支持杆８０を横に倒した状態に取り付けることができる取付片５６が設けられるとともに、同じく筐体パネル５２の外面の略中央部には、使用時に支持杆８０を立設するための筒状の支持台５７が設けられている。また、筐体パネル５１、５２の上面には、図３に示すように両者の隙間５５の上側に係止されている上端プレート７０を跨ぐようにして着脱式のロック部材５８が設けられ、使用時には該ロック部材５８を解除して上端プレート７０を上方に引き上げ可能とするとともに、薄膜スクリーンシート２を収納した不使用時には、ロック部材５８で上端プレート７０が上側に移動できないようにロックすることにより、前記上端プレート７０の取手部材７１を持ってスクリーン装置１全体を持ち歩くことができるように構成されている。
【００２８】
巻取りローラー３の支持構造については、図４にも示すように、巻取りローラー３の両端部３Ａ，３Ｂを回転可能に支持する一対の回転支持部６Ａ，６Ｂが設けられ、一方の回転支持部６Ａは、支持フレーム５のベース材５０の一端部に固定され、他方の回転支持部６Ｂは同じくベース材５０の他端部に揺動可能に枢着されている。このような支持構造とすることにより、図中矢印に示すように、巻取りローラー端部３Ａを一方の回転支持部６Ａから離間させて揺動方向（上方向）に移動させたうえ、他方の回転支持部６Ｂから他端部３Ｂを引き抜くことにより、当該スクリーンロールカセットＵを支持フレーム５から容易に離脱させることができ、新しいスクリーンロールカセットＵも逆の手順で容易に取り付けることができる。
【００２９】
本例では、図５（ａ）に示すように、ベース材５０に固定されている回転支持部６Ａ側に巻取りローラー３を駆動するための駆動機構４が内蔵され、他方の回転支持部６Ｂは、駆動機構を備えない従動支持部とされている。これは他方の回転支持部６Ｂが揺動機構を備えるために、スペースの関係上、回転支持部６Ａ側に駆動機構４を設けることが好ましいのであるが、駆動機構を回転支持部６Ｂ側に設けることや、双方に設けることも勿論可能である。
【００３０】
回転支持部６Ａには、巻取りローラー端部３Ａを回転駆動させる駆動機構４としての駆動装置が内蔵されている。この駆動機構４として、本例では巻取りローラー端部３Ａを発条の復元力で回転駆動させるプルバック式発条駆動機構を有する手動の駆動装置が設けられているが、これに限らず、他の手動駆動装置や電動の駆動装置、例えば図６に示すように、駆動モーターを内蔵したものでも勿論よい。また、上記図１０で示した壁や天井等に設置するタイプのものとして構成する場合には、駆動機構としてチェーンや紐、ワイヤを介して回転させる回転駆動機構を採用することも勿論可能である。
【００３１】
回転支持部６Ｂは、ベース材５０に固定される固定部材６０と該固定部材に対し軸部６１ａを介して揺動可能に枢支された軸受部材６１とより構成されており、軸受部材６１の内部には、受け入れた巻取りローラー端部３Ｂの軸部３１ａを外方向に付勢するスプリング６２及び押圧部材６３が設けられており、前記スプリング６２が縮むことにより巻取りローラー端部３Ａを回転支持部６Ａ側から離脱させる際の当該巻取りローラー３の回転支持部６Ｂ側への移動を許容できるように構成されている。
【００３２】
駆動機構４のプルバック式発条駆動機構は、図５に示すように、発条４０と駆動軸４１と該駆動軸４１に巻取りローラー端部３Ａの軸部３１ａを着脱可能に受け入れて連結する連結部材４２とを備え、更に、巻取りローラー端部３Ａを離間させると同時に駆動軸４１の回転を強制的に停止させるロック機構が設けられている。ロック機構は、前記駆動軸４１及び連結部材４２を巻取りローラー側に付勢するスプリング４３と、当該スプリング４３による付勢により移動した連結部材４２を回転支持部６Ａの筐体側に係合し、該連結部材４２及び駆動軸４１の回転を不能とする連結部材４２側の歯車状の係合突起４２ａ及び筐体側の係止溝４４とより構成されている。
【００３３】
このスプリング４３の復元力は、回転支持部６Ｂ側の上記スプリング６２に比べて小さく設定されており、通常使用時には図中（ａ）に示すようにスプリング６２の復元力が勝っているために連結部材４２の位置は係止溝４４に係合しない位置に保持され、駆動軸４１が回転可能とされ、巻取りローラー端部３Ａを回転支持部６Ａ側から離脱させたときに図中（ｂ）に示すようにスプリング４３に押されて連結部材４２が係止溝４４に係合するように構成されている。
【００３４】
次に、図７に基づき、本発明の第２実施形態を説明する。
【００３５】
本実施形態では、回転支持部６Ａを支持フレーム５のベース材５０に対して着脱可能に固定するとともに、他方の回転支持部６Ｂを同じくベース材５０に対して揺動可能に枢着したものである。そして、図７中矢印に示すように、一方の回転支持部６Ａを巻取りローラー端部３Ａと一体で前記支持フレームから離間させて前記揺動方向に移動させたうえ、該巻取りローラー３の他端部３Ｂを前記他方の回転支持部６Ｂから引き抜くことにより前記一方の回転支持部６Ａを含む当該スクリーンロールカセットＵを支持フレーム５から離脱させることができるものである。
【００３６】
巻取りローラー３と一体的に離脱される回転支持部６Ａは駆動機構４が内蔵しており、該駆動機構４を備える回転支持部６Ａごと交換することができるものである。したがって、上記第１実施形態のように巻取りローラー端部３Ａと回転支持部６Ａとの間で回転軸を着脱するための構造（スプリング６２等）を必ずしも要しなくなり、回転支持部６Ａをベース材５０に着脱自在に固定するだけの単純な構造を採用できる。回転支持部６Ａの固定はネジ止め式その他の着脱容易な公知の固定手段を採用できる。本実施形態では、スクリーンロールカセットＵとして支持フレーム５から離脱させた後、駆動機構４を備えた回転支持部６Ａを巻取りローラー端部３Ａから外し、新しい巻取りローラーの端部３Ａに再度取り付けることができるように着脱可能に構成することで、駆動機構４を備える当該回転支持部６Ａを再利用できる。尚、駆動機構４はプルバック式発条駆動機構でもよいし、他の手動駆動装置や電動の駆動装置でもよく、また、駆動機構４を回転支持部６Ｂ側に設けてもよい。またその他の変形例についても上記第１実施形態と同様である。
【００３７】
次に、図８に基づき、本発明の第３実施形態を説明する。
【００３８】
本実施形態では、図８（ａ）に示すように、巻取りローラー３の端部３Ａの内部に、回転支持部６Ａに離脱可能に連結される駆動機構４を内蔵したものであり、薄膜スクリーンシート２及び巻取りローラー３より構成されるスクリーンロールカセットＵを駆動機構４を内蔵したまま支持フレーム５から離脱させるものである。内蔵する駆動機構は、第１実施形態と同様、プルバック式発条駆動機構でもよいし、他の手動駆動装置や電動の駆動装置でもよい。また、駆動機構４を回転支持部６Ｂ側に設けてもよい。ここで、図８（ｂ）に示すように、更に取り外したスクリーンロールカセットUの巻取りローラー端部３Ａから駆動機構４を脱着できるように構成したものが好ましく、これにより当該スクリーンロールカセットＵの交換において該駆動機構４を再使用できる。
【００３９】
更に、本例では巻取りローラー３を、金属製（例えばアルミニウム製）の芯体３４とその外周部に着脱可能に外装される紙製の筒状体３０とより構成し、スクリーンロールカセットＵの交換の際、芯体３４とこれに内蔵されている駆動機構４をそのまま再使用可能とした構造が好ましい実施例である。このような構造により駆動機構４を金属製の芯体３４により安定保持でき、外側の紙製の筒状体３０のみ交換して再度使用することができる。また、駆動機構４を単独で交換する手間が不要であり芯体３４とセットで効率よく交換できるとともに交換時の駆動機構４の破損も生じにくくなる。
【００４０】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００４１】
１  スクリーン装置
２  薄膜スクリーンシート
３  巻取りローラー
３Ａ，３Ｂ  端部
４  駆動機構
５  支持フレーム
６Ａ，６Ｂ  回転支持部
３０  筒状体
３１  キャップ部材
３１ａ  軸部
３１ｂ  突起部
３３  切欠部
３４  芯体
４０  発条
４１  駆動軸
４２  連結部材
４２ａ  係合突起
４３  スプリング
４４  係止溝
５０  ベース材
５１，５２  筐体パネル
５３  閉塞キャップ
５５  隙間
５６  取付片
５７  支持台
５８  ロック部材
６０  固定部材
６１  軸受部材
６１ａ  軸部
６２  スプリング
６３  押圧部材
７０  上端プレート
７１  取手部材
８０  支持杆
８１  掛止片
U  スクリーンロールカセット
Ｗ  下端ウエイト部材
【図１】
2010282033.tif 000003
【図２】
2010282033.tif 000004
【図３】
2010282033.tif 000005
【図４】
2010282033.tif 000006
【図５】
2010282033.tif 000007
【図６】
2010282033.tif 000008
【図７】
2010282033.tif 000009
【図８】
2010282033.tif 000010
【図９】
2010282033.tif 000011
【図１０】
2010282033.tif 000012